Podtech/llm-jp-corpus-v4-ja_patent huggingface dataset:
(57)【要約】      （修正有）【課題】複数の電線やケーブル等の結束や、電線やケーブル，支線等に取付けて、夜間や暗闇でも認識できるスパイラルチューブを提供する。【解決手段】合成樹脂製のスパイラルチューブ１はチューブ本体２に反射部３を形成した。これにより、反射部３が夜間や暗闇でもライト等の光により反射し、その反射によりそこに何かがあるという注意を喚起することができ、電線やケーブル，支線類の損傷事故や人的事故を未然に防ぐことができる。【選択図】図１
0003145678.tif 000002
【実用新案登録請求の範囲】
【請求項１】
合成樹脂製のスパイラルチューブに反射部を形成してなることを特徴とするスパイラルチューブ。
【請求項２】
合成樹脂製のスパイラルチューブに反射部を形成してなるスパイラルチューブにおいて、反射部は反射シール材であることを特徴とするスパイラルチューブ。
【請求項３】
合成樹脂製のスパイラルチューブに反射部を形成してなるスパイラルチューブにおいて、チューブに長手方向に沿って帯状に反射部を形成させた後、らせん状の切り込みを形成したことを特徴とするスパイラルチューブ。
【考案の詳細な説明】
【技術分野】
【０００１】
本考案は、複数の電線やケーブル等の結束だけでなく、屋外の電線やケーブル，支線等に取付けて、それらを防護，識別するために使用されるスパイラルチューブに関するものである。
【背景技術】
【０００２】
従来のスパイラルチューブは単色または単色の色と異なる色の線模様を施したものがあり、スパイラルチューブの存在を引きつけるためには、しばしば単色またはベースとなる色を黄色等の比較的目立つ色とすることが主流であった。
そのため、標識効果が必要な場所ではこのようなスパイラルチューブが用いられていた。
【０００３】
しかしながら、前述したスパイラルチューブは、日中はその存在を引きつけることができるが、夜間や暗闇では認識することが難しいという欠点があった。
特に、夜間に工事等が行われている場合には、電線やケーブル，支線等の所在に気が付かずに、それらを損傷させてしまうという事故が起こることもあった。
【考案の開示】
【考案が解決しようとする課題】
【０００４】
本考案は以上のような従来の欠点を鑑み、夜間や暗闇でも認識できるスパイラルチューブを提供することを目的としている。
【課題を解決するための手段】
【０００５】
上記目的を達成するために、本考案は合成樹脂製のスパイラルチューブの表面に反射部を形成することを特徴としている。
【考案の効果】
【０００６】
本考案のスパイラルチューブは、反射部を形成することにより、反射部が夜間や暗闇でもライト等の光により反射し、その反射によりそこに何か重要なものや障害があるというような注意喚起を促すことができ、電線やケーブル，支線等の損傷事故や人的被害を未然に防ぐことができる。
よって、従来のスパイラルチューブに比べ、当該スパイラルチューブは電線やケーブル，支線等の防護だけでなく、高い標識効果を発揮する。
【０００７】
更にスパイラルチューブはらせん状に切り込まれたスリットを有する構造により、容易に電線やケーブル，支線等に巻き取付けることができ、またそれらの太さの違いにも対応して取付けることができる。そのため、電線やケーブル、支線等に対応する太さの保護カバーを多種多様に用意する必要がなく、省資源化を図ることができる。
【０００８】
請求項２においては、反射部を反射シール材で形成している。そのため、前述した効果が得られるとともに、既存のスパイラルチューブにも取付けることができる。
【０００９】
請求項３においては、チューブに長手方向に沿って帯状の反射部を形成させた後、らせん状の切り込みを形成したことを特徴としている。そのため、前述した効果が得られるとともに、反射部を一度に形成するため生産効率を上げることができる。
【考案を実施するための最良の形態】
【００１０】
以下、本考案を実施するための最良の形態により、本考案を詳細に説明する。
【実施例１】
【００１１】
図１は本考案のスパイラルチューブの実施形態の斜視図である。本考案のスパイラルチューブ１は、チューブ本体２に反射部３を形成することにより構成されている。
例えば、反射部３はチューブ本体２と一体に成形することや、反射部３を嵌め込んで一体とすることや反射部３をシール材として接着するというような方法で形成することができる。シール材とした場合は、既存のスパイラルチューブにも容易に構成させることができ、省資源化を図ることができる。
【００１２】
図２は、本考案のスパイラルチューブ１の使用例１であり、架空ケーブル５に取付けて、クレーン車等の車高の高い車に対し、架空ケーブル５への接触に注意を喚起することができる。
【００１３】
図３は、本考案のスパイラルチューブ１の使用例２であり、雪国では薄暗い日が続くとともに堆積した雪８に電柱の支線６が埋もれてしまい、支線６の所在が分かり難くなってしまうことがあるが支線カバー７の上方に取付けることにより、所在を知ることができ、雪を除去する際に除雪車等による支線への接触に注意を促すことができ、事故防止に繋げることができる。
【実施例２】
【００１４】
次に、図４に示す本考案を示す実施例２について説明する。なお、これらを説明するに当って、前記実施例１と同一構成部分には同一符号を付して重複する説明を省略する。
【００１５】
図４に示す本発明を実施するための実施例２の形態において、前記実施例１と異なる点を以下に説明する。
【００１６】
チューブ本体２の長手方向に沿って帯状反射部３ａを形成した後に、らせん状の切り込みを形成させることを特徴としている。帯状反射部３ａは、チューブ本体２と一体に成形することや、チューブ本体２を成形すると共に反射シール材を接着するというような方法で形成することができる。
【００１７】
上記実施例２の構成のスパイラルチューブ１も実施例１と同様に使用される。その上、実施例２においては、反射部を一度に形成することが可能であることから生産効率を上げることができる。
【産業上の利用可能性】
【００１８】
本考案は、複数の電線やケーブル等の結束だけでなく、屋外の電線やケーブル，支線等に取付けて、それらを防護し、事故防止のための標識に利用される。
【図面の簡単な説明】
【００１９】
【図１】本考案実施例１のスパイラルチューブの斜視図
【図２】本考案の使用例図１
【図３】本考案の使用例図２
【図４】本考案実施例３のスパイラルチューブの斜視図
【符号の説明】
【００２０】
１：スパイラルチューブ、２：チューブ本体、３：反射部、３ａ：帯状反射部、４：電柱、５：架空ケーブル、６：支線、７：支線カバー、８：雪
【図１】
0003145678.tif 000003
【図２】
0003145678.tif 000004
【図３】
0003145678.tif 000005
【図４】
0003145678.tif 000006
(57)【要約】【課題】  含まれるクロロフィルを高容量として、ペットが少量を食べるだけで、口臭は勿論のこと、加齢臭、便臭、尿臭、便臭などを消すことができるとともに、過栄養、過カロリーを防ぐことができるペット用消臭おやつを提供することにある。【解決手段】  高容量クロロフィリンを配合してなり、たとえば、おやつ1個あたり１０ｍｇ以上の高容量のクロロフィリンを配合する。【選択図】図１
0003145622.tif 000002
【実用新案登録請求の範囲】
【請求項１】
高容量クロロフィリンを配合してなることを特徴とするペット用消臭おやつ。
【請求項２】
おやつ1個あたり１０ｍｇ以上の高容量のクロロフィリンを配合してなることを特徴とするペット用消臭おやつ。
【考案の詳細な説明】
【技術分野】
【０００１】
本考案は、犬、猫、ハムスター等のペットの口臭、体臭、加齢臭、便臭、尿臭などを消すペット用消臭おやつに関するものである。
【背景技術】
【０００２】
従前から、ペットの口臭対策用のおやつとして、たとえばクロロフィルを含んだ歯磨きガムが普及しているが、ガムでは口臭対策になっても、体臭、加齢臭、便臭、尿臭は除去できなかった。
そこで近年、ペット用消臭おやつとして、クロロフィル（クロロフィリン）、緑茶抽出物、リモナイト（鉄分が多く含まれ臭いを吸着する）などの成分を含む商品が市販されている。
【特許文献１】実用新案登録第３０９９６２８号
【特許文献２】特開２００５−１８５２４５号
【０００３】
しかし、いずれの商品も、含まれるクロロフィリンが低容量だったり、もともと消臭力の弱かったりして、その効果が乏しく、消費者の支持を得られなかったというのが現状である。
また、効果が弱いため、たくさんのおやつをあげることになり、その結果として、ペットの過栄養、過カロリーによる肥満が心配されている。
【考案の開示】
【考案が解決しようとする課題】
【０００４】
解決しようとする問題点は、含まれるクロロフィルを高容量として、ペットが少量を食べるだけで、口臭は勿論のこと、加齢臭、便臭、尿臭、便臭などを消すことができるとともに、過栄養、過カロリーを防ぐことができるペット用消臭おやつを提供することにある。
【課題を解決するための手段】
【０００５】
本考案は、この解決策として、おやつ1個あたり１０ｍｇ以上の高容量のクロロフィリンを配合してなることを主要な特徴とする。
【考案の効果】
【０００６】
本考案のペット用消臭おやつは、1個あたり１０ｍｇ以上の高容量クロロフィリンを配合しているから、従前品に比べると、口臭は勿論のこと、加齢臭、便臭、尿臭、便臭などにも著しい消臭効果がある。
また、考案者は以前に高容量クロロフィリンを含んだ錠剤に関する考案を提案しているが、錠剤はペット（犬、猫、ハムスター）は食べないという意見が多いことから、ペットが食べやすいおやつに高容量クロロフィリン配合し、ペットが喜んで食べるようにしている。
【考案を実施するための最良の形態】
【０００７】
1個あたり１０ｍｇ以上の高容量クロロフィリンをおやつに配合することにより実現した。
【実施例１】
【０００８】
図１は、本考案ペット用消臭おやつをささみ風おやつ１とした実施の一例を示す概略斜視図であって、鶏ささみなどを配合し、１個あたり２〜３ｇとしているが、それに１０ｍｇの高容量クロロフィリン２を配合している。小型犬であれば一日あたり数個で十分に足り、犬の大きさにより与える個数は増減すればよい。クロロフィリンについては鉄クロロフィリンあるいは銅クロロフィリンのいずれでもよく限定されない。
【０００９】
上記実施例では、ささみ風おやつとしたが、ペットが抵抗なく食べるおやつであれば形状もささみ風に限らないし、原材料もペットの食欲をそそるものを適宜に選択すればよい。
【産業上の利用可能性】
【００１０】
ペットが喜んで食べ、しかも含まれるクロロフィルを高容量であるから口臭は勿論のこと、加齢臭、便臭、尿臭、便臭などを消すことができる。
【図面の簡単な説明】
【００１１】
【図１】本考案に係るペット用消臭おやつの実施の一例を示す概略斜視図である。
【符号の説明】
【００１２】
１  本考案ペット用消臭おやつ
２  クロロフィリン
【図１】
0003145622.tif 000003
(57)【要約】      （修正有）【課題】舟を使用するときのみ舟倉容量を拡大し、おとりアユを弱らせることのないアユ引き舟を提供する。【解決手段】アユ引き舟を舟首部１と舟尾部２に分割し、舟を使用しないときは、該舟首部又は舟尾部のいずれか一方を他方に収納して構成する。舟を使用する時は、該舟首部あるいは該舟尾部をスライドさせて引き出し、舟倉容量を約２倍とする。携帯時には、舟首部あるいは舟尾部を元通りに押し込んで容積を縮小して携帯の便を図る。【選択図】図２
0003145596.tif 000002
【実用新案登録請求の範囲】
【請求項１】
アユ引き舟を舟首部と舟尾部に分割し、スライドさせることで引き舟全体容量を大きくすることを特徴とするアユ引き舟。
【考案の詳細な説明】
【技術分野】
【０００１】本考案はアユの友釣りに使用するアユ引き舟の構造に関する【０００２】アユの友釣りにおいては生きたおとりを使用する。そのおとりを収納保管する引き舟が必要である。【０００３】生きた元気なおとりアユを収納保管するためには、引き舟の舟倉容量を大きくして溶存酸素量を確保する必要があるが、従来のアユ引き舟は一体型であるためと、携帯用の制約からあまり大きくできない。
【考案の開示】
【０００４】この実案は舟倉を大きくするとともに、携帯性を損なわないアユ引舟を提供することを課題とする。
【考案の効果】
【０００６】携帯時には舟首部に舟尾部を収納できることで、携帯性を損なわれることなく、従来の一体型に比べ舟倉容量を約２倍にできる。このため、おとりに負担を掛けることが少なく、生きたおとりアユを保管できる。
【実案を実施するための最良の形態】
【０００７】この実案の一実施形態を、図１に示す。
アユ引き舟は▲１▼舟首部と▲２▼舟尾部に分けられ、スライドできるようになっている。
【実施形態の効果】
【０００８】この実施形態によれば、使用時において▲１▼舟首部と▲２▼舟尾部を引き出し、舟倉容量を大きくする。携帯時は、それらをスライドさせ押し込むことで携帯に支障きたさない。
【他の実態形態】
【０００９】図１の実態形態は一例で、収納する方法は、舟首部、舟尾部のどちらかを外側、内側にしてもよい。
【図面の簡単な説明】
【図１】この実案は使用時及び携帯時を示す平面図である。
【図２】この実案は使用時を示す側面図である。
【符号の説明】
【００１０】▲１▼  舟首部＝引き船の前部
▲２▼  舟尾部＝引き舟の後部
▲３▼  舟倉＝▲１▼舟首部と▲２▼舟尾部を総じて言う。
【図１】
0003145596.tif 000003
【図２】
0003145596.tif 000004
(57)【要約】      （修正有）【課題】既設の温水洗浄便座及び既設の水道分岐金具を改造することなく設置できる浄水器を提供する。【解決手段】カセット式温水洗浄便座浄水器は、既設の温水洗浄便座から給水ホースを経て水道分岐金具へと接続されている経路の中間に装着し、本体筒内に装着された交換可能な浄水カートリッジにて浄水し、上記連結部は、既設の温水洗浄便座の改造及び既設の水道分岐金具の改造を必要とせず複数個多重装着できるプラグ１及び受けカプラー５を有することを特徴とする。既設の温水洗浄便座に使用されている給水ホースのプラグと同一形状のプラグ１及び既設の水道分岐金具の受けカプラーと同一形状の受けカプラー５を用いることにより、改造を必要とせず設置できるようにしている。【選択図】図１
0003145595.tif 000002
【実用新案登録請求の範囲】
【請求項１】
既設の温水洗浄便座から給水ホースを経て水道分岐金具へと接続されている経路の中間に装着し、本体筒内に装着された交換可能な浄水カートリッジにて浄水し、既設の温水洗浄便座の改造及び既設の水道分岐金具の改造を必要とせず装着できる事を特徴とする温水洗浄便座用浄水器。
【請求項２】
連結部は、複数個多重装着できるプラグ及び受けカプラーを有する請求項１に記載の温水洗浄便座用浄水器。
【請求項３】
交換可能な浄水カートリッジの繊維吸着素材の内部空間に濾剤を充填したことを特徴とする請求項１に記載のカセット式温水洗浄便座用浄水器。
【請求項４】
交換可能な浄水カートリッジの内部空間にビタミン剤を充填し水質改善できることを特徴とする請求項１に記載のカセット式温水洗浄便座用浄水器。
【請求項５】
交換可能な浄水カートリッジの内部空間に薬剤を充填し水質改善できることを特徴とする請求項１に記載のカセット式温水洗浄便座用浄水器。
【考案の詳細な説明】
【技術分野】
【０００１】本考案は、健康・美容分野における温水洗浄便座に関する。
【背景技術】
【０００２】近年、温水洗浄便座が多用されるようになってきているが、水道水の中には塩素や水が水槽から蛇口に至る長い水道管内に滞留する間に、消毒に用いた塩素が原因で、トリハロメタン等の塩素化合物が発生したり、水槽や水道管の汚れ・老朽化等が原因で、カビ臭またはカルキ臭が発生、場合によっては、細菌が発生したりするのが実情であるが、これらが含有されてる洗浄水で肛門や陰部を洗浄するものであった
【考案の開示】
【考案が解決しようとする課題】
【０００３】従来の温水洗浄便座はその構造上、水道水を直接加熱し洗浄に使用するため、この水道水を濾過、浄水するためには温水洗浄便座ごと交換するか、水道水の経路上に浄水器を設置する必要があり、大規模な設備交換工事や水道工事を必要とする課題があった。【０００４】  本考案は、このような課題を解決するためになされたもので、簡単で、手軽に安全な洗浄水を用いて肛門、陰部の洗浄ができる浄水器を提供することを目的とする。
【課題を解決するための手段】
【０００５】本考案のカセット式温水洗浄便座浄水器は、既設の温水洗浄便座から給水ホースを経て水道分岐金具へと接続されている経路の中間に装着し、本体筒内に装着された交換可能な浄水カートリッジにて浄水し、上記連結部は、既設の温水洗浄便座の改造及び既設の水道分岐金具の改造を必要とせず複数個多重装着できるプラグ及び受けカプラーを有することを特徴とする
【考案の効果】
【０００６】  請求項１に記載のごとく、既設の水道設備、温水洗浄便座の改造を必要としないので、手軽に設置することができ、また手軽にもとの状態に戻すことができる。また、浄水カートリッジは交換式なので、ランニングコストを低減することができる。【０００７】  請求項２に記載のごとく、既設の設備と同一形状のプラグ及び受けカプラーを使用するので、既設の設備の改造を必要としない。また同一形状のプラグ及び受けカプラーを使用するので、本考案を複数装着でき、複合された効果を期待できる。【０００８】  請求項３に記載のごとく、浄水カートリッジは交換式なので、ランニングコストを低減することができる。【０００９】  請求項４に記載のごとく、浄水カートリッジの内部空間にビタミン剤を充填することにより、水質改善ができ、健康、美容の効果を期待できる。【００１０】  請求項５に記載のごとく、浄水カートリッジの内部空間に薬剤を充填することにより、水質改善ができ、健康、美容の効果を期待できる。また期待する効果により、様々な薬剤を充填することができる。
【考案を実施するための最良の形態】
【００１１】  以下、本考案のカセット式温水洗浄便座用浄水器の実施の形態を図面を参照して説明する。【００１２】  図１および図２において符号１は水道分岐金具への差込プラグを示し、符号５は温水洗浄便座に接続されている給水ホースのプラグを差し込まれるための受けカプラーを示す。このカセット式温水洗浄便座用浄水器は、上下開口の本体筒３と、この本体筒３の上部開口端に装着される上部蓋２と、下部開口端に装着される下部蓋４により構成されてる。上部蓋２及び下部蓋４の本体筒３との接合部には防水パッキンを有する。【００１３】  図３において符号１０は交換可能なフィルターカートリッジ１０を示し、上部蓋２若しくは下部蓋４を開口し本体筒３の内部に挿入する。フィルターカートリッジ１０はその内部に水質改善のビタミン剤を充填することができる。またフィルターカートリッジ１０の内部にはビタミン剤以外の水質改善の薬剤を充填することができる。本体筒３は、内部に挿入されたフィルターカートリッジ１０の汚れ具合と水質改善のビタミン剤及び薬剤の消耗具合をを外部から目視できるように透明であることが望ましい。また上部蓋２、本体筒３、下部蓋４は抗菌特性を備えたプラスチック材による成形品であり、利用者が工具を使用せずに内部に挿入されたフィルターカートリッジ１０の交換ができる構造である。またこのカセット式温水洗浄便座用浄水器は、期待する効用により多重接続することができる。
【図面の簡単な説明】
【００１４】
【図１】本考案によるカセット式温水洗浄便座用浄水器の側面図。
【図２】本考案によるカセット式温水洗浄便座用浄水器の斜視図。
【図３】本体の構成を示す側面図。
【符号の説明】
【００１５】１  プラグ
２  上部蓋
３  本体筒
４  下部蓋
５  受けカプラー
１０  フィルターカートリッジ
【図１】
0003145595.tif 000003
【図２】
0003145595.tif 000004
【図３】
0003145595.tif 000005
(57)【要約】      （修正有）【課題】男性が排尿をする場合、排尿が素早く簡単にできるようにした男性用上肌着を提供する。【解決手段】男性用上肌着の裾１のほぼ中央に、上に延びる切り込みを設けて、裾１から上にかけて一部前開きできる前開き部２を設けることで、男性が排尿をする時上肌着が邪魔にならず安全に素早く排尿が出来るようにするものである。【選択図】図１
0003145594.tif 000002
【実用新案登録請求の範囲】
【請求項１】
男性用の上肌着の前身頃の裾のほぼ中央に、上に延びる切り込みを設けて、裾から上にかけて一部前開きできるようにした男性用肌着。
【考案の詳細な説明】
【技術分野】
【０００１】  本考案は、男性用上肌着（半袖、長袖シャツ）の前身頃の裾から上にかけて一部前開きとする、男性用上肌着に関するものである。
【背景技術】
【０００２】  従来の男性用上肌着は胴回りを裾まで同じ長さで覆っていて、排尿の時陰茎を取り出すとき不便であり、特に高齢者はトイレが近く急に尿意を催し夜間は数回排尿に行き回数も多くなり慌てて失禁することもあるので、これらをスム−スに出来るようにするものである。
【考案の開示】
【考案が解決しようとする課題】
【０００３】  従来の男性用上肌着は腰まで同じ長さで覆っていて排尿の時陰茎を取り出すには上肌着が邪魔になるので前身頃の裾を上に引き寄せ上げなければ、陰茎を引き出せないが、上肌着の前身頃の裾を前開きすることで陰茎を簡単に引き出せ排尿が素早く簡単にできる。
【課題を解決するための手段】
【０００４】  男性が排尿をす時、男性用上肌着の前身頃の裾が腰廻りまで同じ長さにあり邪魔になるため、男性が陰茎をスム−スに取り出し排尿が素早く安全に出来るように、男性用上肌着の前身頃の裾から上の一部を陰茎が取り出しに支障のない範囲を前開きとすることで男性、特に高齢者も排尿に手間取らず安心し排尿が出来るので現在排尿に手間取っている問題が解決する。
【考案の効果】
【０００５】  上述のように、現在の上肌着は前身頃の裾が邪魔になり排尿時陰茎を取り出すのにも上肌着の裾が邪魔になり、時間を要し不便であるが、本発明による男性用上肌着の前身頃の裾の上の一部を前開きにすることで、陰茎の取り出しが簡単で、排尿がスム−スに出来特に高齢者には便利で効果が大きい。
【考案を実施するための最良の形態】
【０００６】  図面に示すとおり、上肌着半袖、長袖シャツの前身頃の裾の一部を前開きにすることで使用者は安心して、安全に素早く排尿が出来る。又冬場の上肌着は暖房対策上も腰回りをカバ−するため裾を長くしても、排尿には問題は無い。【０００７】  図１は、第１の実施形態を示すもので、男性用の半袖の上肌着を示している。
同上肌着の前身頃の裾１のほぼ中央には、上に延びる切り込みが設けられて、裾１から上にかけて一部前開きできる前開き部２が設けられている。
本実施例の上肌着を着用すると、素早く安全に排尿できる切り込み長さは１５〜２５ｃｍ位が望ましい。【０００８】  図２は、第２の実施形態を示すもので、男性用の長袖の上肌着を示している。
同上肌着の前身頃の裾１のほぼ中央には、上に延びる切り込みが設けられて、裾の１から上に一部前開きできる前開き部２が設けられている。
本実施例の上肌着を着用すると、素早く安全に排尿する切り込み長さは１５〜２５ｃｍ位が望ましい。【０００９】  男性が排尿を催し、便器の前に立ち急ぎ陰茎を取り出し排尿をしようとしても現在市販されている上肌着は、ズボン、肌着、下着、パンツの陰茎取り出し口を上肌着の裾が塞いでいて、陰茎を取り出すのに手間取り慌てるが、本考案の男性用排尿に簡単肌着を着用することで、ズボン、肌着、パンツと何の障害もなくスム−スに排尿ができる、特に高齢者は普通排尿に時間を要するが本考案肌着を使用することで安全で素早く処理できる。
【図面の簡単な説明】
【００１０】
【図１】男性用の半袖の上肌着を示している。
【図２】男性用の長袖の上肌着を示している。
【符号の説明】
【００１１】  １  上肌着の裾
２  前開き部
【図１】
0003145594.tif 000003
【図２】
0003145594.tif 000004
(57)【要約】【課題】火葬が支障なく行えると共に、見た目に清潔感があり、葬儀を崇高なものにすることができる葬儀に用いる納棺用の靴を提供する。【解決手段】靴１のアウトソール２が、厚紙を用いた芯材４の表面に可燃性の布地５を貼り合わせ、後部下面に木製の踵６を取付けて形成され、このアウトソール２の上部に設けた甲被部分３が可燃性の布地で形成されている。【選択図】図１
0003145544.tif 000002
【実用新案登録請求の範囲】
【請求項１】
靴の全体が可燃性材料を用いて形成されている葬儀に用いる納棺用の靴。
【請求項２】
上記靴のアウトソールが、厚紙を用いた芯材の表面に可燃性の布地を貼り合わせ、木製の踵を取付けて形成され、このアウトソールの上部に設けた甲被部分が可燃性の布地で形成されている請求項１に記載の葬儀に用いる納棺用の靴。
【請求項３】
上記靴が男性用の形態に形成されている請求項１又は２に記載の葬儀に用いる納棺用の靴。
【請求項４】
上記靴が女性用の形態に形成されている請求項１又は２に記載の葬儀に用いる納棺用の靴。
【考案の詳細な説明】
【技術分野】
【０００１】
この考案は、葬儀に際して、遺体に履用させて棺に納める葬儀用の納棺靴に関する。
【背景技術】
【０００２】
遺体を納めた棺には、生花だけでなく来世での生活用品や生前の愛用品等の副葬品を一緒に納めるが、従来の葬儀では、遺体に着用させる死に装束は経帷子が一般的であるが、近年、本人の生前からの意思や家族の意向によって、死に装束に洋服を採用することが行われるようになっている。
【考案の開示】
【考案が解決しようとする課題】
【０００３】
ところで、死に装束に洋服を採用した場合、当然足には靴を履かせることになるが、一般に市販されている靴は、材料に皮や合成皮革、合成樹脂、ゴム等を用いて形成され、これに装飾金具を取付けたものもあるが、前記のような靴の形成材料は、燃焼に対して難燃性であったり溶融するため、火葬後に炉内に残ることで火葬炉に悪影響を与えることになり、このため、靴を履かせることができないという問題がある。
【０００４】
また、一般的な靴は、使用材料が燃焼することで火葬時に有害物質が発生し、地球環境を悪化させるという問題もある。
【０００５】
そこで、この考案の課題は、遺体に履用させても火葬が支障なく行えると共に、火葬時に有害物質で地球環境を悪化させるようなことがない葬儀に用いる納棺靴を提供することにある。
【課題を解決するための手段】
【０００６】
上記の課題を解決するため、この考案は、靴の全体が可燃性材料を用いて形成されている構成を採用したものである。
【０００７】
上記靴のアウトソールが、厚紙を用いた芯材の表面に可燃性の布地を貼り合わせ、木製の踵を取付けて形成され、このアウトソールの上部に設けた甲被部分が可燃性の布地で形成されている構造としてもよい。
【０００８】
また、上記靴が男性用の形態に形成されているようにしたり、女性用の形態に形成されている構造とすることができる。
【０００９】
ここで、上記靴の形成に用いた厚紙や布地及び木製の踵は、すべて可燃性であるので、火葬時に消滅することになり、また、合成樹脂やゴムのように有害物質が発生することもない。
【考案の効果】
【００１０】
この考案によると、靴の全体を可燃性材料で形成したので、燃焼によって消滅することになり、従って、火葬炉に支障を与えることがないので、遺体に履用させた納棺状態で火葬することができ、死に装束に洋服を用いた場合に、洋服に適合した靴を履かせることで、葬儀を崇高なものにすることができる。
【００１１】
また、靴は全てが可燃性材料で形成されているので、火葬時に焼却されても有害物質で地球環境を悪化させるようなことがない。
【考案を実施するための最良の形態】
【００１２】
以下、この考案の実施の形態を図示例に基づいて説明する。
【００１３】
図示のように、納棺用の靴１は、アウトソール２とその上部に設けた甲被部分３からなり、これらの構成部材の全てに可燃性の材料が用いられている。
【００１４】
上記アウトソール２は、厚紙として積層紙を用いた芯材４の表面に、自然繊維や人工繊維からなる可燃性の布地５を貼り合わせ、後部の下面位置に木製の踵６を取付けて形成され、このアウトソール２に縫い付けたり接着することによって設けた甲被部分３も綿等の自然繊維やポリエステル等の人工繊維からなる可燃性の布地を用いて形成されている。
【００１５】
図示の場合、靴１は、甲被部分３における履口部分に可燃性の靴紐７を備えた男性用の形態を示したが、パンプスやハイヒール等の女性用の形態に形成してもよく、また、大人や子供用のほか男女何れの場合でもデザインは自由に選択することができ、更に、靴の全体の色彩は任意に選べばよいが、葬儀に用いる点から黒色が好ましい。
【００１６】
この考案の靴１は、上記のような構成であり、遺体に着用させる死に装束に洋服を採用した場合に遺体の足に履かせて納棺し、故人が浄土に歩いていけるようにと願うものであり、靴１は見た目に清潔感があり、葬儀を崇高なものにすることができる。
【００１７】
また、靴１は、全体が可燃性の材料で形成されているので、この靴１を遺体の足に履かせて納棺しても、火葬時に靴１は消滅して火葬が支障なく行えると共に、火葬時に有害物質で地球環境を悪化させるようなことがない。
【図面の簡単な説明】
【００１８】
【図１】（ａ）はこの考案に係る靴の斜視図（ｂ）は同じく拡大した縦断正面図
【符号の説明】
【００１９】
１        靴
２        アウトソール
３        甲被部分
４        芯材
５        布地
６        踵
７        靴紐
【図１】
0003145544.tif 000003
(57)【要約】【課題】  現在、新聞やTVなどでも取り上げられることが多くなったメタボリックシンドロームの一対処策として、日常的な食事の摂取カロリーを管理することが重要で、その１回の摂取カロリー必要量がひとめでわかり、かつ楽しく食事ができるよう調整可能にした食器を提供することである。【解決手段】  本考案は上記目的を達成するために、陶磁器内の所望の部位に模様や記号を転着して内容物の充填高さを確実に調整可能にし、繰り返し使用できる食器を提供可能にするものである。記号を模様、線、点線、鎖線、色線にして、内容物の充填高さを確実に調整可能にしたり、前記模様は成人、子供、幼児の絵柄にして、楽しく使用出来るようにした。【選択図】  図１
0003145577.tif 000002
【実用新案登録請求の範囲】
【請求項１】
食品を収容する食器の内面に食品重量の表示手段が設けられてなることを特徴とする食器。
【請求項２】
前記食品が米飯の場合に該米飯の重量が１１０ｇ及び又は１６５ｇを表示する表示手段が設けられてなることを特徴とする請求項１記載の食器。
【請求項３】
前記表示手段が、約１１０ｇ及び又は１６５ｇの米飯を盛りつけた場合に、該米飯の水平な表面と交差する位置に設けられた模様・点線・鎖線・色線の目盛であることを特徴とする請求項２記載の食器。
【考案の詳細な説明】
【技術分野】
【０００１】
本考案は、調理された食品を収容する食器に関する。さらに詳しくは、体内で所定のエネルギーを得るために摂取されるべき食品の重量を表示するための表示手段が設けられた食器に関する。
【背景技術】
【０００２】
登録実用新案「第3138989号」、実用新案登録「第3067704号」では、食品を収容する食器の内面に米飯の水平な表面と交差する位置とにそれぞれ線のみが設けられている。
【特許文献１】登録実用新案  第3138989号
【特許文献２】実用新案登録  第3067704号
【考案の開示】
【考案が解決しようとする課題】
【０００３】
そこで、本考案者は従来の欠点や問題点を解決すべく鋭意研究した結果、陶磁器内の所望の部位に転着して内容物の充填高さを模様・点線・鎖線・色線で確実に調整可能にし、繰り返し使用できる食器を提供するものである。
【課題を解決するための手段】
【０００４】
本考案は上記目的を達成するために、食品を収容する食器の内面に体内で所定のエネルギーを得るために摂取されるべき食品の重量を表示するための表示手段が設けられてなることを特徴とする食器で、前記所定のエネルギーを摂取されるべき米飯の重量が１１０ｇ及び又は１６５ｇを表示する表示手段が設けられた食器である。更に、前記表示手段が、約１１０ｇ及び又は１６５ｇの米飯を盛りつけた場合に、該米飯の水平な表面と交差する位置に模様・点線・鎖線・色線の目盛を転着した食器としたので、陶磁器内の所望の部位に模様や記号を転着して内容物の充填高さを確実に調整可能にし、繰り返し使用できる食器を提供可能にしたものである。また、前記記号を模様、線、点線、鎖線、色線にして、内容物の充填高さを確実に調整可能にしたり、前記模様は成人、子供、幼児の絵柄にして、楽しく使用出来るようにした食器である。
【考案の効果】
【０００５】
本考案によれば、陶磁器内の所望の部位に模様や記号を転着して内容物の充填高さを確実に調整可能にし、繰り返し使用できる食器を提供可能にするものである。また、前記記号を模様、線、点線、鎖線、色線にして、内容物の充填高さを確実に調整可能になったり、前記模様は成人、子供、幼児の絵柄にして、楽しく使用出来るようにした。
【考案を実施するための最良の形態】
【０００６】
次に、本考案に係る一実施例について図１及び図２を参照して以下に説明する。
【実施例】
【０００７】
図１及び図２は、本考案に係る実施例の斜視図及び要部断面図を示しており、
図１に図示するように、本実施例では、茶碗(食器)１内面に、所定のエネルギーを摂取されるべき米飯の重量が１１０ｇ及び又は１６５ｇを表示する円環状の水平線上に一定間隔の点線(目盛)２を表示し、米飯を円環状の水平線上の点線を目安に盛りつけるための茶碗とした。本実施例での表示手段は、点線を用いたが、模様、線、鎖線、色線など、更には成人、子供、幼児の顔なども必要に応じて用いる事もできる。
図２は、図１のａ−ａ線矢視の要部縦断面図で、茶碗(食器)１内面の水平線上に一定間隔の点線２を図示している。
したがって、本実施例によれば、茶碗(食器)１内面の点線２の目盛りまで米飯を盛りつけた場合、米飯の重量を確実に１１０ｇ又は１６５ｇに調整可能になった。
【産業上の利用可能性】
【０００８】
本考案は、食器は茶碗などの陶磁器と限らず、漆器、強化ガラス食器、ポリプロピレン製食器、ステンレスやアルミ等の金属食器にも適用できる。
【図面の簡単な説明】
【０００９】
【図１】本実施例の一実施例を示す斜視図である。
【図２】図１のａ―ａ線矢視の要部縦断面図である。
【符号の説明】
【００１０】
１  茶碗  （食器）           
２  点線  （目盛）              
【図１】
0003145577.tif 000003
【図２】
0003145577.tif 000004
【手続補正書】
【提出日】平成20年6月24日(2008.6.24)
【手続補正１】
【補正対象書類名】実用新案登録請求の範囲
【補正対象項目名】全文
【補正方法】変更
【補正の内容】
【実用新案登録請求の範囲】
【請求項１】
食品を収容する食器内面の所望部位に食品重量の表示手段として模様・点線・鎖線・色線の目盛が設けられてなることを特徴とする食器。
【請求項２】
前記食品が米飯の場合に該米飯の重量が１１０ｇ及び又は１６５ｇを表示する表示手段が設けられてなることを特徴とする請求項１記載の食器。
【請求項３】
前記表示手段が、約１１０ｇ及び又は１６５ｇの米飯を盛りつけた場合に、該米飯の水平な表面と交差する位置に設けられた模様・点線・鎖線・色線の目盛であることを特徴とする請求。
【手続補正書】
【提出日】平成20年7月25日(2008.7.25)
【手続補正１】
【補正対象書類名】実用新案登録請求の範囲
【補正対象項目名】全文
【補正方法】変更
【補正の内容】
【実用新案登録請求の範囲】
【請求項１】
食品を収容する食器内面の所望部位に食品重量の表示手段として模様・点線・鎖線・色線の目盛が設けられてなることを特徴とする食器。
【請求項２】
前記食品が米飯の場合に該米飯の重量が１１０ｇ及び又は１６５ｇを表示する表示手段が設けられてなることを特徴とする請求項１記載の食器。
【請求項３】
前記表示手段が、約１１０ｇ及び又は１６５ｇの米飯を盛りつけた場合に、該米飯の水平な表面と交差する位置に設けられた模様・点線・鎖線・色線の目盛であることを特徴とする請求項２記載の食器。
(57)【要約】      （修正有）【課題】イヤホン本体及びコード部分を共に収納できる携帯型音楽再生装置収納ケースを提供する。【解決手段】巻き取り用リールを有することにより、イヤホンコードの絡みや損傷を防ぎ同時にイヤホン本体も収納可能とする。又、携帯型音楽再生装置本体を密着固定する機能を有することにより本体の損傷を防ぎ確実に収納可能となるケースである。【選択図】図１
0003145572.tif 000002
【実用新案登録請求の範囲】
【請求項１】
携帯型音楽再生装置及びイヤホンコード一式を共に収納でき、リール状のイヤホンコード巻取り機能と携帯型音楽再生装置本体を形状に関わらず密着させ収納出来る機能を有するケースである。
【考案の詳細な説明】
【技術分野】
【０００１】携帯型音楽再生装置用本体の密着収納及びリール状のイヤホンコードの巻き取り機能を有する収納ケースである。
【背景技術】
【０００２】従来は携帯型音楽再生装置の使用時や保管の際、本体とイヤホン部分及びイヤホンコードを共に収納するケースはなかった。その結果、イヤホンコードが絡まることが多く、落下や外的圧力による携帯型音楽再生装置本体の損傷も防げなかった。
【考案の開示】
【考案が解決しようとする課題】
【０００３】携帯型音楽再生装置を携帯し移動する時や保管する時、ケース内にイヤホンコードの巻き取り機能を有し、又、本体も固定収納出来る為、鞄内での損傷や落下や外的圧力による損傷を防ぐことが出来る。又、イヤホン本体も収納出来る為損傷も防止できる。
【課題を解決するための手段】
【０００４】イヤホンコードの鞄内での損傷を防ぐためケース内に携帯型音楽再生装置本体と共にケースに収納しイヤホンコードをリール状の巻き取り部分に巻き、本体も密着収納機能を有する材質の上に隙間なく収納することで落下時の損傷を防ぐことが出来る。
【考案の効果】
【０００５】携帯型音楽再生装置を携帯する際、当ケースを使用することで落下による本体とイヤホンコードの損傷や外的な圧迫を受けることによる損傷も防止する。
【実施例】
【０００６】ケース内に本体を隙間なく収納する為、本体収納用のくぼみを設ける。携帯型音楽再生装置は機種により形が違い今後も様々な形状の機種の発売が予想される、形を対応させる為形状を変化させることが出来る物質（石油原材料・化学物質・空気等）をゾル・ゲル状、粘土状、流動状、液状等にし、ゴム・合成樹脂等で被覆し形状を変化させ、収納を可能にさせる。
又、鞄に固定可能にする為ストラップ、フックを取り付ける。さらに外被ケースは合成樹脂、金属の素地のまま使用するか革、布、合成樹脂素材を使用したものを貼りつけ、ファッション性をもたす。イヤホン巻き取り用のリールは脱着可能にし、不要な場合はリールを外しイヤホンコードを折りたたんで中板を止めそのまま収納可能なケースである。
【図面の簡単な説明】
【０００７】
【図１】展開図
【符号の説明】
【０００８】▲１▼  外被ケース
▲２▼  オープナー
▲３▼  フック
▲４▼  本体収納部分
▲５▼  イヤホンコード巻き取りリール
▲６▼  イヤホンコード取り出し口
▲７▼  イヤホン
▲８▼  中板
【図１】
0003145572.tif 000003
【手続補正書】
【提出日】平成20年5月10日(2008.5.10)
【手続補正１】
【補正対象書類名】実用新案登録請求の範囲
【補正対象項目名】全文
【補正方法】変更
【補正の内容】
【実用新案登録請求の範囲】
【請求項１】
外被ケースは本体と本体に対し開閉自在にした蓋で構成し前記本体内には柔軟性材で作られた保持具を設け携帯型音楽再生装置を収納する。
前記本体と蓋との間に中板を設け携帯型音楽再生装置に使うイヤホンコードの巻き取り具を設けたことを特徴とするイヤホンコード収納式携帯型音楽再生装置用ケース。
【手続補正書】
【提出日】平成20年7月11日(2008.7.11)
【手続補正１】
【補正対象書類名】実用新案登録請求の範囲
【補正対象項目名】全文
【補正方法】変更
【補正の内容】
【実用新案登録請求の範囲】
【請求項１】
外被ケースは本体と本体に対し開閉自在にした蓋で構成し前記本体内には柔軟性材で作られた保持具を設け携帯型音楽再生装置を収納し、前記本体と蓋との間に中板を設け携帯型音楽再生装置に使うイヤホンコードの巻き取り具を設けたことを特徴とするイヤホンコード収納式携帯型音楽再生装置用ケース。
(57)【要約】【課題】  本考案は業務用でも、家庭用でも手の指先で生タマゴを割る際に簡単な構造で誰でも殻が割れ、殻が混入したり、黄味が指先に付着したりせず衛生的で、容易にタマゴを割ることの出来るタマゴ割り器を提供する。【解決手段】  タマゴ割り本体の底部中間部にタマゴの白味と黄味を下のタマゴ入れ容器に落とす穴部を設け、タマゴ割り本体の一方にタマゴ置き台を、他方にタマゴハサミを受けるハサミ受け部をタマゴ割り本体の中央部にハサミ受け台を設けて、その先端がノコ刃形状のピンセットが開いた形状のタマゴハサミを設ける、タマゴをタマゴ受け台にセットし、タマゴ押しバネで押し先端がノコ刃で割れタマゴの白味と黄味をタマゴ本体の穴部からタマゴ入れ容器に次々と落とし込むものである。【選択図】図１
0003145578.tif 000002
【実用新案登録請求の範囲】
【請求項１】
タマゴ割り本体の上部に設けたタマゴハサミにタマゴを挟み、新押バネでタマゴを押しながらタマゴハサミの開いた先端部のノコ刃で殻を割りタマゴ割り本体の穴部からタマゴ入り容器に落とし込む事を特徴とするタマゴ割り器。
【請求項２】
家庭用にも，業務用としても指先を利用しないで、タマゴを衛生的に殻が綺麗に割れ、タマゴの白味と黄味を簡単に、タマゴ割り本体の底中央部の穴部から落としタマゴ入れ容器に収納できるタマゴ割り器。
【考案の詳細な説明】
【技術分野】
【０００１】  本考案は、業務・家庭用のタマゴ割りに関する。
【背景技術】
【０００２】  従来、業務用、家庭用でもタマゴ割の専用の用具はなく、身近にある容器等を利用して殆どが指で割る方法であり、割るときに殻の薄い、厚いなどの状態や、殻を割る技術により殻がつぶれたり、殻が混入したり、黄味が破れ手、指への付着などで手を汚すことが多く衛生的にも好ましくはないが通常では指割でタマゴを割っている。
【考案の開示】
【考案が解決しようとする課題】
【０００３】  本考案は、タマゴを割るときに、指で割らず誰が割っても、殻をつぶさずうまく割れ、殻を混入したり、指・手を汚すのを防止し、簡単にタマゴが割れて中身の黄味を衛生的に取出せ、手・指に直接触れないようにするものであり、前述の問題点を解決しようとするものである。
【課題を解決するための手段】
【０００４】  本考案は、タマゴ割り本体１の底部中間部に穴部２を設け、片方にタマゴ置き台３と厚めのタマゴを軽くへこませる小鉄板３を設け固定し、他方のタマゴ割り本体１の立ちあがり部にハサミ受け部４を、そして中央部穴部２の手前にハサミ受け台５を設ける、タマゴ割り本体１の他方部付近の両外側にタマゴ割り本体１を支えるＬ形の受け部６を設け、その上部開放部のハサミ受け部４とハサミ受け台５の上にタマゴハサミ７を乗せセットする。タマゴハサミ７には、その先端がノコ刃状８に加工されタマゴの殻に喰い付きやすい様な形状で、又タマゴ殻ストップ部９が設けられている変形したピンセット形の開いた形状である。そしてタマゴ割り本体１をタマゴ入り容器１１の上部に乗せ斜めにする、タマゴ１２をタマゴ置き台３にのせ、タマゴ押しバネ１０で押し殻をおさえる構造にしたものである。
【考案の効果】
【０００５】  上述のような構成にしたので、業務用でも、家庭用でも，子供でもなれれば容易に、手の指を汚さず、殻がつぶれたりして、殻が混入したり、黄味の形を壊さず整った形で中身をタマゴ入れ容器の中に取出すことが出来る効果が大いに期待できる。
【考案を実施するための最良の形態】
【０００６】  以下、本考案の実施の形態を説明する。
タマゴ割り本体の底部中間部にタマゴの白味と黄味を下のタマゴ入れ容器に落とす穴部を設け、一方にタマゴ置き台を、他方にタマゴ割り本体の立ちあがり部にハサミ受け部を、そして中央部穴部２の手前にハサミ受け台を設けて、その上に両先端がノコ刃状に加工されタマゴの殻に喰い付きやすい様な形状にし、両サイドに外側に９０度に曲がったタマゴ殻ストップ部が設けられている全体が変形したピンセット形の開いた形状であるタマゴハサミをのせる。又タマゴ割り本体の他方部付近の両外側にタマゴ割り本体を支えるＬ形の受け部を設け、タマゴ入れ容器の上部に乗せ斜めにする、タマゴをタマゴ置き台にのせ、タマゴをタマゴ押しバネで押しタマゴハサミのノコ刃で殻を割る構造にしたものである。
本考案は、以上の構成よりなっている。
【図面の簡単な説明】
【０００７】
【図１】本考案の組立平面図。
【図２】本考案の組立正面図。
【図３】本考案の本体平面図。
【図４】本考案の本体正面図。
【図５】タマゴハサミの側面図。
【図６】タマゴハサミの平面図。
【図７】新押バネの平面図。
【図８】新押バネの側面図。
【図９】タマゴ入れ容器の側面図。
【図１０】タマゴ入れ容器の平面図。
【符号の説明】
【０００８】    １  タマゴ割り本体
２  穴部
３  タマゴ置き台
３  厚めの小鉄板
４  ハサミ受け部
５  ハサミ受け台
６  Ｌ形の受け部
７  タマゴハサミ
８  ノコ刃
９  タマゴ殻ストップ部
１０  新押バネ
１１  タマゴ入れ容器
１２  タマゴ
【図１】
0003145578.tif 000003
【図２】
0003145578.tif 000004
【図３】
0003145578.tif 000005
【図４】
0003145578.tif 000006
【図５】
0003145578.tif 000007
【図６】
0003145578.tif 000008
【図７】
0003145578.tif 000009
【図８】
0003145578.tif 000010
【図９】
0003145578.tif 000011
【図１０】
0003145578.tif 000012
【手続補正書】
【提出日】平成20年7月16日(2008.7.16)
【手続補正１】
【補正対象書類名】実用新案登録請求の範囲
【補正対象項目名】請求項１
【補正方法】変更
【補正の内容】
【請求項１】
タマゴ入れ容器を設け、このタマゴ入れ容器の上部にタマゴを割るための先端部にノコ刃を付いたタマゴハサミ、タマゴ置き台、Ｌ形の受け部を設け、底部に穴の開いたタマゴ割り本体を設けたことを特徴とするタマゴ割り器。
【手続補正２】
【補正対象書類名】実用新案登録請求の範囲
【補正対象項目名】請求項２
【補正方法】変更
【補正の内容】
【請求項２】
指先がタマゴに触れることなくタマゴを衛生的に殻が綺麗に割れる事を特徴とする請求項１記載のタマゴ割り器。
(57)【要約】      （修正有）【課題】自分の手指の感覚で顔や身体をマッサージでき、それぞれの目的に合った用途に使える癒し手袋を提供する。【解決手段】手袋の指先をカットし、片側は指の腹の部分と手のひらに柔らかいウレタンのソフトクッションを付け、もう片方には手のひら全体に小さい多数の突起物を付けた癒し手袋である。手指感覚で、顔や頭を含め全身をマッサージできる両面使用可能な癒し手袋は、時と場所を選ばず手軽で経済的である。コンパクトで、ポケットやバックに入れれば外出先でも使用できるものである。【選択図】図１
0003145576.tif 000002
【実用新案登録請求の範囲】
【請求項１】
手袋状になったお手軽エステ・マッサージ・指圧器具。家でリラックスしながら簡単に自分の手指感覚で身体全体を癒せる伸縮性があり、手のひら側に半球状のソフトクッション（突起物）を付け手の甲側には多数の細かい突起物をつけた手袋である。身体の全ての箇所に自分の手の感覚で指圧やマッサージ、リンパドレナージュやエステを行えるものである。素肌でも、化粧の上からでも使用でき、汚れたら家庭で水洗いも出来る素材で、指先オープンの手袋である。伸縮性がある素材を使うことで、手の押しやすいところに突起物を設定できる両面使用可能な手袋である。
【考案の詳細な説明】
【技術分野】
【０００１】本考案は、手袋の指先をオープンにし、両面に柔らかい突起物を設けたマッサージ、片側はエステ用、片側は頭皮や首の血行を良くするマッサージ用と、携帯にも便利な手袋に関するものである。
【背景技術】
【０００２】手袋をはめることで、自分の手の感覚で顔や身体の疲れた部分に触れることにより、マッサージや指圧効果は、指で作業するより負担が少なくなる。手袋は、ストレッチ性の素材を使い指先をカットしてある手袋なので、爪の長い女性も問題なく、サイズを選ばないものである。
【考案の開示】
【考案が解決しようとする課題】
【０００３】マッサージやエステに行くときは、時間とお金が掛かるものである。外出せずに化粧も落とさず、お風呂の中や思い立ったときに自分で自分の身体を癒すことが出来れば楽で、経済的である。
【課題を解決するための手段】
【０００４】自分が疲れているところ、マッサージしてほしいところは中々他の人には伝わらないものである。そこで、自分の手指感覚で身体を癒すことが出来れば外出しなくて済み経済的でもある。癒し手袋は自分の手指の感覚で顔や身体をマッサージでき、それぞれの目的に合った用途に使える、両面に無駄なく突起物の付いた手袋である。
【考案の効果】
【０００５】外出することなく、経済的で、持ち運びができるヒーリングローブはコンパクトで、洗ってもすぐ乾く素材で作られたものである。ヒーリングローブで身体をマッサージすることにより血行も促され、美容と健康に効果があると思われる。
【考案を実施するための最良の形態】
【０００６】手袋の指先をカットし、片側は指の腹の部分と手のひらに柔らかいウレタンのソフトクッションを付けてあり、もう片方は手のひら全体に小さい多数の突起物の付いたものである。
【実施例】
【０００７】目的により、左右のヒーリングローブを手にはめ、ソフトクッションの突起した部分を顔や身体の癒したい部分に当て、力の加減を調整してマッサージまたはパッティングする。【０００８】  必要に応じてクリームを塗った箇所に当てれば滑らかなマッサージが期待でき、養毛・育毛剤をつけて頭皮のパッティングをすれば血行が良くなり、より高い効果が得られるものである。
【図面の簡単な説明】
【０００９】
【図１】本考案の癒し手袋の両面を上から見た図である。
【図２】本考案の癒し手袋の両面の側面図である。
【符号の説明】
【００１０】ａ）指先をカットした手袋
ｂ）ソフトなクッション
ｃ）ソフトで先端の尖った突起物
【図１】
0003145576.tif 000003
【図２】
0003145576.tif 000004
【手続補正書】
【提出日】平成20年6月13日(2008.6.13)
【手続補正１】
【補正対象書類名】実用新案登録請求の範囲
【補正対象項目名】全文
【補正方法】変更
【補正の内容】
【実用新案登録請求の範囲】
【請求項１】
自分の手指感覚で身体全体を癒せる、手のひら側に起伏をつけ、手の甲側には多数の細かい突起物を付けた手袋で、身体の全ての箇所に自分の手の感覚で指圧やマッサージ、リンパドレナージュやエステができ、素肌でも化粧の上からでもいつでも使用でき、汚れたら家庭で水洗いも可能の伸縮性がある素材を使った癒し手袋。
(57)【要約】      （修正有）【課題】障子組子の横桟に埃がつきにくく、付着した場合には簡単に除去できる仏壇を提供する。【解決手段】仏壇１の内扉２において、障子組子４の横桟６の上面に前下がりの傾斜をつける。このようにすると、埃がつきにくく、付いても簡単に手前に掃き落として奇麗にすることができる。この結果、従来のように埃の堆積により横桟６部分が変色したりせず、永く美観を保つことができる。【選択図】図１
0003145554.tif 000002
【実用新案登録請求の範囲】
【請求項１】
障子組子の横桟の上面に前下がりの傾斜をつけて成る仏壇。
【請求項２】
前記横桟の前下がりの傾斜は、断面四角形の横桟を斜めに組み付けることにより形成したこと、を特徴とする請求項１に記載の仏壇。
【請求項３】
前記横桟の前下がり傾斜は、横桟の上面に前下がりの傾斜を加工して形成したこと、を特徴とする請求項１に記載の仏壇。
【考案の詳細な説明】
【技術分野】
【０００１】
本考案は、仏壇における障子組子に関し、更に詳しくは、障子組子の横桟に付着した埃を簡単に除去することができる仏壇に関するものである。
【技術背景】
【０００２】
仏壇の正面には、両開きタイプの外扉と、この外扉の内側にもう一枚の内扉が取り付けられていて、この内扉は障子組子構造となっている。
そして、従来の障子組子１００は、図５（Ａ）に示すように、多数の縦桟１０１の要所に横桟１０２が組み付けられており、この横桟１０２は、図５（Ｂ）に示すように上面１０３が平らな構造となっている。
【考案の開示】
【考案が解決しようとする課題】
【０００３】
このため、横桟１０２の上面１０３には埃が付着して積り易く、また縦桟１０１が狭い間隔で組み付けられていることから、この埃を奇麗に掃除するのに手間がかかるばかりでなく、また狭い隅部については埃を完全に除去しきれないという問題がある。
そして、この埃の除去が不十分であると、この埃が付着している部分とそうでない部分において経年的に変色が発生し、美観を損ねるという問題がある。
本考案の課題は、斯る問題の解消を図ることである。
【課題を解決するための手段】
【０００４】
上記課題を解消するため、本考案では、仏壇の障子組子において、横桟の上面に前下がりの傾斜をつけたことを特徴とするものである。
この傾斜は、横桟を斜めにして組み付けるようにしても良いし、横桟の上面に前下がりの傾斜面を加工してつけるようにしても良い。
【考案の効果】
【０００５】
本考案に係る仏壇の障子組子の横桟の上面には、前下がりの傾斜がつけてあるため、埃はこの傾斜分付きにくいと共に掃除の際はこの傾斜に沿って簡単に除去することができる。
よって、経年的に埃が堆積したり、横桟だけが変色したりして、美観を損ねたりすることがない。
【実施例１】
【０００６】
図１は本考案に係る障子組子を組み付けた内扉を有する仏壇の正面図、図２は障子組子の一部を示す正面図、図３はＡ―Ａ´線断面図、図４は横桟の上面に傾斜をつけた実施例の説明図である。
【０００７】
各図において、１は仏壇、２は外扉、３は内扉であって、４は内扉３の障子組子である。５は障子組子４の縦桟、６は横桟であって、この横桟６は、上面７と下面８は平行で、断面四角形（平行四辺形状）を呈し、上面７が前下がりの傾斜となるように斜めに組み付けられている。
【０００８】
図４は横桟６の他の実施例を示すもので、この実施例の場合は、横桟６の上面のみに前下がりの傾斜がつけてあり、請求項２に記載した考案に対応する。
【図面の簡単な説明】
【０００９】
【図１】本考案を実施した仏壇の説明図
【図２】障子組子の一部を示す説明図
【図３】Ａ―Ａ´線断面図
【図４】請求項２に記載した組子の実施例の説明図
【図５】（Ａ）は従来の障子組子の説明図（Ｂ）はＢ−Ｂ´線断面図
【符号の説明】
【００１０】
１          仏壇
２          外扉
３          内扉
４          障子組子
５          縦桟
６          横桟
７          上面
８          下面
【図１】
0003145554.tif 000003
【図２】
0003145554.tif 000004
【図３】
0003145554.tif 000005
【図４】
0003145554.tif 000006
【図５】
0003145554.tif 000007